(57)【要約】      （修正有）【課題】蒸れを生じにくくすると共に、手指の動作の自由度を大きくし、手指の機能制限を少なくすることで身体拘束を防止する手袋を提供する。【解決手段】手の５本指各々を個別に挿入する指部３０と、手のひら及び手の甲を挿入する本体部２０と、把持部４０とを備えており、前記指部のうち親指の指先のみを前記把持部の下側に接合し、前記指部のうち親指以外の４本指の各指先のみを前記把持部の上側に接合することで、前記本体部の手のひら側と前記把持部との間に空間を設ける。【選択図】図１
0003177610.tif 000002
【実用新案登録請求の範囲】
【請求項１】
手の５本指各々を個別に収容する指部と、手のひら及び手の甲を収容する本体部と、把持部とを備えており、
前記指部のうち親指の指先のみを前記把持部の下側に接合し、前記指部のうち親指以外の４本指の各指先のみを前記把持部の上側に接合することで、前記本体部の手のひら側と前記把持部との間に空間を設けることを特徴とする手袋。
【請求項２】
前記本体部の手のひら側に開口を備えることを特徴とする請求項１に記載の手袋。
【請求項３】
前記本体部の手首近傍にベルトを備えることを特徴とする請求項１又は２に記載の手袋。
【考案の詳細な説明】
【技術分野】
【０００１】
本考案は、身体拘束を防止する手袋に関する。
【背景技術】
【０００２】
現在、法令・告示によって入院患者や要介護高齢者（以下、「患者等」と表記する場合がある）への身体拘束の原則禁止が規定されている。
例えば、厚生労働省令では、老人福祉・老人保健施設等において、入所者又は他の入所者等の生命又は身体を保護するため緊急やむを得ない場合を除き、身体的拘束その他入所者の行動を制限する行為を行ってはならない。また、身体的拘束等を行う場合には、その態様及び時間、その際の入所者の心身の状況並びに緊急やむを得ない理由を記録しなければならないと規定されている。
【０００３】
身体拘束は関節拘縮、筋力・気力・食欲・感染症への抵抗力の低下など、患者等に身体的弊害をもたらす以外にも、患者等に不安、怒り、屈辱、あきらめ、生きる意欲の低下等の精神的弊害や、身体拘束を受けている患者等を見た家族に罪悪感、混乱、苦悩、後悔の念を与えたり、看護・介護スタッフに士気の低下が生じるなどの社会的弊害をもたらすことが報告されている。
しかし、病院や介護施設では、患者等が点滴・経管栄養等のチューブを睡眠中に無意識に或いは不注意で外したり、自身の皮膚を掻いてひっかき傷をつけたり、その他転倒、転落による外傷事故、異食等の種々の危険行為の発生を考慮し、患者等の安全を確保する観点から緊急やむを得ない場合に限って身体拘束を援助技術のひとつとして行ってきた経緯がある。
【０００４】
身体拘束の一例として、手指の機能を制限するミトン型の手袋をつける行為があり、従来、このような手袋に関して種々の発明がなされている。
例えば、特許文献１及び２には、親指用と残りの４本指用に二股に分かれた手袋が開示されており、特許文献３〜６には５本指全てを一体的に収容する手袋が開示されている。
また、ミトン型以外の手袋として、特許文献７及び８には、通常の手袋に近似した５本指各々を個別に収容する形状のものが開示されている。
【０００５】
上記各特許文献のうち特許文献１、２、７及び８の手袋は、手袋本体とは別に棒状又は球状の部材（以下、「把持部」という）を備えており、手袋内に指を挿入すると、当該把持部を手のひらで軽く握った状態が維持される構造になっている。
把持部を利用することで、指を自在に屈曲させたり上下左右に動かす等の自由な動きは制限されるため、チューブを外したり、身体を掻く行為をある程度防止できると共に、患者等は上記ミトン型の手袋と比較して拘束されている違和感が少なく、むしろ自己の意思で積極的に把持部を握っている感覚を得られるので、これがある程度の安心感に繋がり、精神的苦痛をあまり感じないで済むという利点がある。また、把持部を握った状態は医学的に良肢位とされる、手指を開ききった状態と握った状態との中間位を保つことができる。
【先行技術文献】
【特許文献】
【０００６】
【特許文献１】特開２００１−７３２０９号公報
【特許文献２】実用新案登録第３１６７４１７号公報
【特許文献３】実用新案登録第３１３８４０１号公報
【特許文献４】特開２００９−１０８４３１号公報
【特許文献５】実用新案登録第３１１４３７９号公報
【特許文献６】特開２０１１−１３２６１０号公報
【特許文献７】特開２００７−１１９９８５号公報
【特許文献８】特開２０００−３４２６１４号公報
【考案の概要】
【考案が解決しようとする課題】
【０００７】
しかし、上述した各特許文献に記載された手袋では以下のような問題がある。
すなわち、特許文献１〜６のミトン型の手袋では、少なくとも親指以外の４本指が一体的に収容されるため、各指を独立して屈曲させたり上下左右方向に動かす動作が制限されるという問題や、指や手のひらが蒸れて患者等に不快感を与えるという問題がある。
【０００８】
また、特許文献７の手袋では把持部を各指の先端から手首近傍まで全面的に縫い付けてあり、特許文献８の手袋では把持部を親指以外の４本指の第１関節から手のひらにかけて縫い付けてある。特許文献７及び８の手袋は各指を独立して収容することから上記身体拘束には該当しないものの、各指を独立して屈曲させたり上下左右方向に動かそうとした場合に、各指に縫い付けてある把持部によってその動作が制限されてしまい、患者等に手指の拘束感を与えてしまうという問題がある。また、把持部と手のひらとが密着するために手のひらの触覚が失われるという問題や、密着面積が大きいため指や手のひらが蒸れ易いという問題もある。
更に、把持部が手のひらに縫い付けられているために、手のひらでベッドの手すり等を掴むことができず、患者等がベッドから上半身を起こしたり、ベッドから降りたりする動作が困難になり、患者等の日常生活を著しく制限してしまうという問題があった。
【０００９】
本考案は上記問題に鑑み、蒸れを生じにくくすると共に、手指の動作の自由度を大きくし、手指の機能制限を少なくすることで身体拘束を防止する手袋を提供することを目的とする。
【課題を解決するための手段】
【００１０】
本考案の手袋袋は、手の５本指各々を個別に収容する指部と、手のひら及び手の甲を収容する本体部と、把持部とを備えており、前記指部のうち親指の指先のみを前記把持部の下側に接合し、前記指部のうち親指以外の４本指の各指先のみを前記把持部の上側に接合することで、前記本体部の手のひら側と前記把持部との間に空間を設けることを特徴とする。
また、前記本体部の手のひら側に開口を備えることを特徴とする。
また、前記本体部の手首近傍にベルトを備えることを特徴とする。
【考案の効果】
【００１１】
本考案の手袋によれば、５本指を各々個別に収容し、各指の先端部分のみを把持部に接合する構造にして、把持部と本体部の手のひら側との間に空間を設けることにより、各指を独立して屈曲させたり、上下左右方向に動かす動作が制限を受けにくい。したがって、従来技術のように把持部を手のひら側に密着した状態で取り付ける場合と比較して、患者等に与える手指の拘束感・違和感を最小限に抑えることができる。
また、空間を設けることで各指及び手のひら側の通気性を充分確保できるため、蒸れの発生を抑えることができる。
また、空間を設けることで手のひらの触覚を維持でき、患者等に安心感をもたらしたり、患者等が手のひらでベッドの手すり等を掴むことができ、ベッドから上半身を起こしたり、ベッドから降りたりする等の動作が可能となり、筋力低下等の身体的弊害を防止することができる。
【００１２】
このように、本考案の手袋は蒸れが生じにくいだけでなく、手指の動作の自由度を従来よりも大きくし、手指の機能制限を少なくするので、患者等にとって本考案の手袋の使用は身体的負担が小さく、身体拘束を行わない看病・介護を実現することができる。
また、本体部の手のひら側に開口を設けることで手のひらの触覚を手袋を嵌めない状態と同程度に高めることができ、また、手のひらの通気性をより高めて水虫を防止することができる。
ベルトを用いることで手の動作を安定させ、手からの脱落を防止することができる。
【図面の簡単な説明】
【００１３】
【図１】手袋を手の甲の側からみた斜視図
【図２】手袋を左側面からみた図
【図３】手袋を右側面からみた図
【図４】各指を屈曲させた状態の手袋を手のひら側からみた図
【図５】各指を伸ばした状態の手袋を手のひら側からみた図
【図６】上側の４本指同士の間隔を広げた状態の手袋を手の甲側からみた図
【図７】中指を人差し指よりも屈曲させた状態の手袋を左側面からみた図
【図８】開口を設けた手袋を手のひら側からみた図
【考案を実施するための形態】
【００１４】
［第一の実施の形態］
本考案の手袋１０の第一の実施の形態について説明する。
図１〜図５に示すように、本実施の形態の手袋１０は、本体部２０、指部３０及び把持部４０から概略構成される。なお、実際には右手用と左手用の２つで一組の手袋であるが、本実施の形態では右手用について説明する。
手袋１０の材質としては柔軟な布地や不織布など様々なものを使用できるが、吸湿性や通気性のよい生地が好ましく、例えば吸湿性及び通気性に優れた市販の綿製作業手袋を利用できる。
【００１５】
本体部２０は手のひら及び手の甲を挿入する部位であり、その後端に挿入口２１を備える。
本体部２０の手首近傍にベルト２２を設けることにすれば、手の動作が安定し、手袋１０の手からの脱落も防止できる。ベルト２２としてはできるだけ柔らかい薄手の綿の生地を用いるのが好ましく、本実施の形態では綿の紐状生地を用いており、ベルト２２をループ２３に通しながら手首に数周巻き付けた上で蝶結びで固定している。
【００１６】
指部３０は手の５本指各々を個別に挿入する部位であり、各指部分は本体部２０の前端から連続して袋状に形成されている。
把持部４０は本体部２０及び指部３０に手を挿入した患者等が掴むための部位であり、指部３０のみと接合されている。
具体的には、把持部４０は吸湿性を備えたタオル地の布をロール状（円柱状）に形成・縫合したもので構成されており、ある程度の弾力性及び可撓性を備えている。
把持部４０の下側には指部３０のうち親指の指先のみが縫い付けられており、把持部４０の上側には指部３０のうち親指以外の４本指の各指先のみが縫い付けられている。
なお、「指先のみ」とは、指のはらのうち長くても先端から第１関節までを指すが、指の拘束感・違和感を軽減する観点から可能な限り短くする（把持部４０との接合面積を小さくする）のが好ましく、指の先端から１〜２ｃｍ程度に留めておくのが好ましい。
また、把持部４０と指部３０とを布用接着剤、ホック、面ファスナー等の周知の接合手段で接合してもよい。
【００１７】
把持部４０の形状はロール状以外にも、例えば布を複数段に織り重ねることで直方体形状にしたり或いは丸めることで球状にするなど適宜変更可能であり、把持部４０の寸法も適宜変更可能であるが、手袋１０に手を挿入した患者等にとって、５本指各々の状態が自然な角度で屈曲した良肢位となるように調節するのが好ましい。また、把持部４０の横幅は上側に縫い付けられている４本指から左右に僅かに突出する程度の長さにするのが好ましい。
このように指部３０を把持部４０に接合することにより、把持部４０と本体部２０の手のひら側との間に空間５０（図２及び図３参照）が形成される。
図４は患者等が各指を屈曲させた状態、図５は各指を伸ばした状態、図６は上側の４本指同士の間隔を広げた状態、図７は中指を人差し指よりも大きく上方に屈曲させた状態である。従来技術のように各指の第１関節から手のひらまでを把持部に接合している場合には、このように各指を屈曲させたり、伸ばしたり、上側の４本指同士の間隔を広げたり、４本指のうち任意の指を独立して屈曲させることは極めて困難である。
【００１８】
［第二の実施の形態］
本考案の手袋の第二の実施の形態について説明する。
なお、上記第一の実施の形態と同一の構成となる箇所には同一の符号を付してその説明を省略する。
本実施の形態の手袋は、図８に示すように、本体部２０の手のひら側に開口６０を備えることを特徴とする。
図８では開口６０が第３関節（指と手のひらとの付け根箇所）近傍から本体部２０の後端にまで至るように形成されているが、少なくとも手のひら部分に設けておけばよい。
このような開口６０を設けることで手のひらの触覚を手袋を嵌めない状態と同程度に高めることができ、また、手のひらの通気性をより高めることができる。
【産業上の利用可能性】
【００１９】
本考案は、蒸れを生じにくくすると共に、手指の動作の自由度を大きくし、手指の機能制限を少なくすることで身体拘束を防止する手袋に関するものであり、産業上の利用可能性を有する。
【符号の説明】
【００２０】
１０  手袋
２０  本体部
２１  挿入口
２２  ベルト
２３  ループ
３０  指部
４０  把持部
５０  空間
６０  開口
【図１】
0003177610.tif 000003
【図２】
0003177610.tif 000004
【図３】
0003177610.tif 000005
【図４】
0003177610.tif 000006
【図５】
0003177610.tif 000007
【図６】
0003177610.tif 000008
【図７】
0003177610.tif 000009
【図８】
0003177610.tif 000010